(57)【要約】【課題】放出口から放出される害虫防除成分で衣類が汚染されることがないと共に、放出された害虫防除成分の拡散が衣類で妨害されないようにしたファン式防虫装置とする。【解決手段】装置本体１と薬剤保持体２と送風機３と電池４と取付部７を備え、送風機３を駆動することで薬剤保持体２の害虫防除成分を放出口５から放出するファン式防虫装置であって、前記取付部７を衣類収納空間内のハンガーパイプ６に取付けて吊り下げた状態で、前記放出口５から害虫防除成分が上方に向けて放出されるようにし、その害虫防除成分で衣類が汚染したり、衣類で拡散が妨害されないようにする。【選択図】　　　図２
2004016098.tif 000002
【特許請求の範囲】
【請求項１】
害虫防除成分を有する薬剤保持体２と送風機３と電池４を備え、この送風機３から発生する気流を薬剤保持体２に接触又は通過させることにより害虫防除成分を放出口５から気中に放出する装置本体１と、
前記装置本体１に設けられ衣類収納空間内のハンガーパイプ６に取付けるための取付部７を有し、
前記取付部７をハンガーパイプ６に取付けて吊り下げた状態において、前記放出口５から害虫防除成分が上方に向けて放出されるようにしたことを特徴とするファン式防虫装置。
【請求項２】
送風機３は電動モータ３ａとファン３ｂを備え、そのファン３ｂの回転によって害虫防除成分を外周に放出する形態とし、
放出口５は、装置本体１におけるファン３ｂによる気流流路の上昇気流域と対向した部分に形成してある請求項１記載のファン式防虫装置。
【請求項３】
放出口５に、気流方向を上方に修正する気流ガイドを設けた請求項１又は２記載のファン式防虫装置。
【請求項４】
ハンガーパイプ６に取付ける取付部７の上部に開口部７ｂを形成し、この開口部７ｂを取付部７の空洞部７ａを通して放出口５に連通した請求項１又は２又は３記載のファン式防虫装置。
【発明の詳細な説明】
【０００１】
【発明の属する技術分野】
本発明は、洋服ダンスやクローゼット等の衣類収納空間の防虫に用いるファン式防虫装置、詳しくは、害虫防除成分を有する薬剤保持体と送風機と電池を備え、この送風機から発生する気流を薬剤保持体に接触又は通過させることにより害虫防除成分を放出口から気中に放出するファン式防虫装置に関する。
【０００２】
【従来の技術】
洋服ダンスやクローゼット等の衣類収納空間の防虫に用いるファン式防虫装置として、特開平１１−３０８９５５号公報に開示されたファン式防虫装置が提案されている。
具体的には、害虫防除成分を有する薬剤保持体と送風機と電池を備え、その薬剤保持体に送風機により発生する気流を接触させることで害虫防除成分を放出口から気中に放出するファン式防虫装置である。
【０００３】
【発明が解決しようとする課題】
前述したファン式防虫装置は、害虫防除成分をファンによる気流に乗せて放出口から気中に放出するので、従来から広く一般に用いられている昇華性防虫剤を用いた固形製剤及び揮散性ピレストロイド系防虫剤を用いた含有プレートなどの保持製剤等の自然揮散タイプの防虫剤と比べると、その害虫防除成分を広い範囲に拡散できるから、衣類収納空間の全域に害虫防除成分を十分に行き渡らせることが可能である。
【０００４】
しかしながら、前述のファン式防虫装置はアイデアの段階であって、実用化されていないのが現状である。
そこで、本発明者等は実用化するために種々の研究、実験を実施した。
まず、衣類収納空間内のどこに、どのようにして取付けるかを研究、実験した結果、従来から広く一般に用いられている自然揮散タイプの防虫剤と同様に衣類収納空間内のハンガーパイプに吊り下げて取付けることが、使用者にとって使い易いことを見出した。
【０００５】
ファン式防虫装置をハンガーパイプに吊り下げて取付けると共に、そのハンガーパイプに複数の衣類を吊り下げた状態で送風機を駆動して害虫防除成分を放出口から放出する実験を行ったところ、ファン式防虫装置近くの衣類に害虫防除成分が多量に付着して衣類を汚染すること、衣類収納空間の全域に害虫防除成分が行き渡るまでに予想以上の時間がかかった。
【０００６】
本発明者等は、前述の原因について検討した結果、放出口が衣類と対向している場合は、その放出口から放出される害虫防除成分が衣類にいきおいよく吹きつけられて衣類に多量に付着すると共に、衣類収納空間の全域に害虫防除成分が行き渡るのに時間がかかった。
その原因は、放出口から放出された害虫防除成分の拡散が衣類によって妨害されるためであった。
【０００７】
本発明は、前述の課題に鑑みなされたものであって、その目的は、ハンガーパイプに吊り下げて取付けできること、放出口から放出された害虫防除成分で衣類が汚染されないこと、その害虫防除成分が衣類収納空間の全域に短時間で行き渡ること、を満足したファン式防虫装置を提供することである。
【０００８】
【課題を解決するための手段】
第１の発明は、害虫防除成分を有する薬剤保持体２と送風機３と電池４を備え、この送風機３から発生する気流を薬剤保持体２に接触又は通過させることにより害虫防除成分を放出口５から気中に放出する装置本体１と、
前記装置本体１に設けられ衣類収納空間内のハンガーパイプ６に取付けるための取付部７を有し、
前記取付部７をハンガーパイプ６に取付けて吊り下げた状態において、前記放出口５から害虫防除成分が上方に向けて放出されるようにしたことを特徴とするファン式防虫装置である。
【０００９】
第２の発明は、第１の発明において送風機３は電動モータ３ａとファン３ｂを備え、そのファン３ｂの回転によって害虫防除成分を外周に放出する形態とし、放出口５は、装置本体１におけるファン３ｂによる気流流路の上昇気流域と対向した部分に形成してあるファン式防虫装置である。
【００１０】
第３の発明は、第１又は第２の発明において放出口５に、気流方向を上方に修正する気流ガイドを設けたファン式防虫装置である。
【００１１】
第４の発明は、第１又は第２又は第３の発明においてハンガーパイプ６に取付ける取付部７の上部に開口部７ｂを形成し、この開口部７ｂを取付部７の空洞部７ａを通して放出口５に連通したファン式防虫装置である。
【００１２】
【作　用】
第１の発明によれば、衣類収納空間内のハンガーパイプ６に取付部７を取付けてファン式防虫装置を吊り下げた状態で、送風機３を駆動することで薬剤保持体２の害虫防除成分が、放出口５から上方に向けて放出される。
よって、ハンガーパイプ６に吊り下げられた放出口５近くの衣類に害虫防除成分が付着することがなく、その害虫防除成分で衣類を汚染することがない。
また、放出口５から害虫防除成分の放出及び放出された害虫防除成分の拡散が衣類で妨害されることなく、衣類収納空間内に害虫防除成分が短時間に行き渡る。
【００１３】
第２の発明によれば、ファン３ｂの回転による上昇気流を有効利用して放出口５から害虫防除成分を上方に放出できる。
【００１４】
第３の発明によれば、害虫防除成分をより一層確実に上方に向けて放出できる。
【００１５】
第４の発明によれば、ハンガーパイプ６よりも上方部分から害虫防除成分が上方に放出されるので、そのハンガーパイプ６に吊り下げて収納した衣類に害虫防除成分が付着することを確実に防止できるし、その放出された害虫防除成分の拡散が衣類で妨害されることを確実に防止できる。
【００１６】
【発明の実施の形態】
本発明の第１の実施の形態を図１、図２、図３に基づいて説明する。
装置本体１は、害虫防除成分を有する薬剤保持体２と送風機３と電池４を備え、この送風機３から発生する気流を薬剤保持体２に接触又は通過させることで薬剤保持体３が有する害虫防除成分を放出口５から気中に放出する。
前記装置本体１は衣類収納空間内のハンガーパイプ６に吊り下げるための取付部７を具備する。
前記取付部７をハンガーパイプ６に取付けて吊り下げた状態で放出口５から害虫防除成分を上方に向けて放出するようにしてある。
【００１７】
このようであるから、放出口５から放出される害虫防除成分は、そのファン式防虫装置と隣接してハンガーパイプ６に吊り下げて収納してある衣類間から上方に向けて拡散する。
よって、放出口近くの衣類（ファン式防虫装置と隣接した衣類）に害虫防除成分が付着することがないので、害虫防除成分で衣類を汚染することがない。
また、害虫防除成分の拡散が衣類によって妨害されることがなく、衣類収納空間の全域に害虫防除成分が短時間に行き渡る。
【００１８】
次に、各部の具体形状の一例を説明するが、この形状に限ることはない。
装置本体１は本体部１０とカバー部１１を着脱自在に連結したもので、その本体部１０は送風機収納室１０ａと電池収納室１０ｂを有する。この実施の形態では送風機収納室１０ａが上方で、電池収納室１０ｂが下方に形成されていると共に、前記送風機収納室１０ａに開口した第１通気口１２と前述の放出口５を有する。
前記カバー部１１は第１通気口１２と対向した第２通気口１３を有し、このカバー部１１と本体部１０との間に薬剤保持体２が設けてある。
【００１９】
前記薬剤保持体２は通気性を有する容器１４、例えば対向面に通気孔１４ａを有する容器１４内に害虫防除成分を含有する担持体（粉剤、粒剤など）１５を充填したもので、その容器１４の外向フランジ１４ｂをカバー部１１における第２通気口１３の開口縁内側面に接して取付けられる。
前記送風機３は電動モータ３ａとファン３ｂを備え、電動モータ３ａでファン３ｂを回転するもので、この電動モータ３ａは電池収納室１０ｂに設けた電池４を電源として駆動されると共に、ファン３ｂはシロッコファンである。
そして、ファン３ｂの回転によって害虫防除成分を外周に放出する形態である。
【００２０】
前記放出口５は図２に示すように、本体部１０（装置本体１）におけるファン３ｂによる気流流路の上昇気流域と対向した部分に形成してある。
すなわち、本体部１０におけるファン３ｂの上向きの接線が接する部分に放出口５が形成してある。具体的にはファン３ｂの水平な上部接線ａが接する部分１０ｃと水平な下部接線ｂが接する部分１０ｄとの間の範囲から放出口５が外れないように形成してある。
図２に示す実施の形態では、ほぼ上向き４５度の接線ｃが接する部分と、ほぼ８０度の上向きの接線ｄが接する部分に放出口５がそれぞれ形成してある。
なお、放出口５の数は２つに限ることはなく、１つでも良いし、３つ以上でも良い。
【００２１】
また、図２に示す実施の形態では本体部１０における前述の放出口５を形成する範囲をほぼ円弧形状とし、ファン３ｂとの間にほぼ円弧形状の空間部８を形成してある。
これによって、ファン３ｂによる上昇気流がより一層生じ易くなる。
【００２２】
前記取付部７はほぼ下向き円弧状のフックで、本体部１０の上部、例えば送風機３の回転中心３ｃの真上に設けてある。
【００２３】
前記放出口５は図４に示すように本体部１０の上部、例えば取付部７の取付部分の近くのハンガーパイプ６長手方向における両側（左右）に形成しても良い。このようにすれば、害虫防除成分が放出口５から取付部７に沿って上方に放出されるので、その害虫防除成分がハンガーパイプ６に吊り下げた衣類により一層付着し難くなる。
なお、図示は省略するが前述の取付部７の取付部分の近くのハンガーパイプ６と直交方向の両側（前後）に放出口５を設け、衣類収納空間におけるハンガーパイプ６と直交方向の両方（前方と後方）に害虫防除成分を放出することもできる。
【００２４】
前記放出口５を図５に示すように本体部１０の取付部７の取付部分に形成し、取付部７に放出口５と連続した空洞部７ａを形成し、その空洞部７ａを取付部７の上部に形成した開口部７ｂに連通する。
このようにすれば、害虫防除成分は放出口５、取付部７の空洞部７ａを通って開口部７ｂから上方に放出されるので、ハンガーパイプ６よりも上方部分から害虫防除成分が上方に放出されるから、その害虫防除成分がハンガーパイプ６に吊り下げた衣類に触れることがない。
なお、前記開口部７ｂはハンガーパイプ６よりも下方部分に形成しても害虫防除成分がハンガーパイプ６に吊り下げた衣類に触れることがない。すなわち、取付部７から害虫防除成分が放出されるようにすれば良い。
【００２５】
前記放出口５に気流方向を上方に修正する気流ガイドを設け、害虫防除成分を上方に向けて確実に放出できるようにしても良い。
例えば、図６に示すように水平に対する角度が小さな上向き接線が接する部分に形成した放出口５の場合には、下縁（上流側縁）に沿って導風板２０をほぼ接線方向、好ましくは接線方向に向けて取付け、上縁（下流側縁）に沿って突起２１を設ける。
垂直に近い角度の上向き接線が接する部分に形成した放出口５の場合には、下流側縁に突起２１を設ける。
【００２６】
図７と図８に示すように、放出口５に枠体２２を取付け、この枠体２２に斜め上向きのガイド用のヒレ２３を複数設け、そのヒレ２３に沿って気流方向が上向きに修正されるようにする。
このヒレ２３を上向きに湾曲した形状としても良い。
【００２７】
図９と図１０に示すように、放出口５に放出用のダクト２４を取付ける。
この放出用のダクト２４は上面が開口していると共に、下面２４ａが上向きに湾曲し、放出口５からの気流方向を上向きに修正する。このダクト２４は放出口５を閉じる位置と開放する位置に渡って開閉自在に取付けることもできる。
なお、図７と図８、図９と図１０にそれぞれ示した気流ガイドと図６に示す気流ガイドを組み合わせて気流ガイドとすることも可能である。
【００２８】
図１１に示すように、放出口５の下縁に円弧形状に湾曲したガイド板２５を上向きに取付け、このガイド板２５に沿って気流方向を上向きに修正する。このガイド板２５を揺動自在として放出口５からの害虫防除成分の放出量を調節できるようにしても良い。
【００２９】
前記薬剤保持体２は、揮散性の害虫防除成分を含有する担持体（粉剤、粒剤など）や担持体の成形体（ネット、シート、プレート、繊維集合体、スポンジ形体、多孔形体など）、またはそれらの収納体（通気性容器、通気性袋など）の製剤形状や形態形状で使用される。
【００３０】
前記薬剤保持体に用いる害虫防除成分としては、送風により揮散するものであれば特に限定されず、例えば、エムペントリン、バイオアレスリン、フラメトリン、プラレトリン、テフラメトリン、トランスフルスリン、フェンフルスリンなどのピレスロイド系殺虫剤、フェニトロチオン、ジクロルボスなどの有機リン系殺虫剤、樟脳、ナフタリン、パラジクロルベンゼンなどの昇華性防虫剤、ペパーミント、スペアミント、ナツメグ、ラベンダーなどのハーブ、リナロール、メントール、シンナムアルデヒド、チモール、カルボンなどのテルペン、レモングラス油、ヒノキ油、イランイラン油、ヒバ油などの精油、Ｎ，Ｎ−ジメトル−ｍ−トルアミド、フタル酸ジメチル、２−エチル−１，３−ヘキサンジオールなどの忌避剤などの公知の揮散性薬剤が挙げられ、その単独、または組合わせて使用することができる。また、消臭剤、防黴剤、香料、酸化防止剤、揮散調整剤などを必要に応じて配合することもできる。
【００３１】
【発明の効果】
請求項１に係る発明によれば、衣類収納空間内のハンガーパイプ６に取付部７を取付けてファン式防虫装置を吊り下げた状態で、送風機３を駆動することで薬剤保持体２の害虫防除成分が、放出口５から上方に向けて放出される。
よって、ハンガーパイプ６に吊り下げられた放出口５近くの衣類に害虫防除成分が付着することがなく、その害虫防除成分で衣類を汚染することがない。
また、放出口５から害虫防除成分の放出及び放出された害虫防除成分の拡散が衣類で妨害されることなく、衣類収納空間内に害虫防除成分が短時間に行き渡る。
【００３２】
請求項２に係る発明によれば、ファン３ｂの回転による上昇気流を有効利用して放出口５から害虫防除成分を上方に放出できる。
【００３３】
請求項３に係る発明によれば、害虫防除成分をより一層確実に上方に向けて放出できる。
【００３４】
請求項４に係る発明によれば、ハンガーパイプ６よりも上方部分から害虫防除成分が上方に放出されるので、そのハンガーパイプ６に吊り下げて収納した衣類に害虫防除成分が付着することを確実に防止できるし、その放出された害虫防除成分の拡散が衣類で妨害されることを確実に防止できる。
【図面の簡単な説明】
【図１】本発明の第１の実施の形態を示す全体斜視図である。
【図２】全体縦断面図である。
【図３】全体横断面図である。
【図４】本発明の第２の実施の形態を示す全体斜視図である。
【図５】本発明の第３の実施の形態を示す全体斜視図である。
【図６】気流ガイドの第１の実施の形態を示す全体縦断面図である。
【図７】気流ガイドの第２の実施の形態を示す全体斜視図である。
【図８】放出口部分の縦断面図である。
【図９】気流ガイドの第３の実施の形態を示す全体斜視図である。
【図１０】放出口部分の横断面図である。
【図１１】気流ガイドの第４の実施の形態を示す全体斜視図である。
【符号の説明】
１…装置本体、２…薬剤保持体、３…送風機、４…電池、５…放出口、６…ハンガーパイプ、７…取付部、２０…導風板（気流ガイド）、２１…突起（気流ガイド）、２２…枠体、２３…ヒレ（気流ガイド）、２４…ダクト（気流ガイド）。
【図１】
2004016098.tif 000003
【図２】
2004016098.tif 000004
【図３】
2004016098.tif 000005
【図４】
2004016098.tif 000006
【図５】
2004016098.tif 000007
【図６】
2004016098.tif 000008
【図７】
2004016098.tif 000009
【図８】
2004016098.tif 000010
【図９】
2004016098.tif 000011
【図１０】
2004016098.tif 000012
【図１１】
2004016098.tif 000013